【手続補正書】
【提出日】平成27年11月4日(2015.11.4)
【手続補正１】
【補正対象書類名】特許請求の範囲
【補正対象項目名】全文
【補正方法】変更
【補正の内容】
【特許請求の範囲】
【請求項１】
無線通信のための装置であって、
受信機のためのＬＯ周波数で第１の局部発振器（ＬＯ）信号を生成するために使用される第１の発振器信号を生成するように構成された第１の周波数合成器と、
送信機のための前記ＬＯ周波数で第２のＬＯ信号を生成するために使用される第２の発振器信号を生成するように構成された第２の周波数合成器と、
を備え、
ここにおいて、前記第１および第２の周波数合成器は、前記装置が時分割モードで動作している場合、同じＬＯ周波数で前記第１および第２のＬＯ信号を得るために前記第１および第２の発振器信号を生成するように構成され、前記第１および第２の周波数合成器の少なくとも１つは、データ・スロットのミッドアンブル内で有効にされ、変調のより低い速度が使用される、
装置。
【請求項２】
前記時分割モードにおいて、前記受信機は第１の時間間隔の間、有効にされ、前記送信機は第２の時間間隔の間、有効にされる、請求項１に記載の装置。
【請求項３】
前記時分割モードは、時分割複信（ＴＤＤ）モードおよび時間分割同期コード分割多元接続（ＴＤ‐ＳＣＤＭＡ）モードのいずれかである、請求項１に記載の装置。
【請求項４】
前記ＴＤＤモードは、ロング・ターム・エボリューション（ＬＴＥ）ＴＤＤモードである、請求項３に記載の装置。
【請求項５】
前記第１および第２の周波数合成器は、同じ発振器周波数で前記第１および第２の発振器信号を生成するように構成された、請求項１に記載の装置。
【請求項６】
前記第１の周波数合成器は、第１の発振器周波数で前記第１の発振器信号を生成するように構成され、前記第２の周波数合成器は、前記第１の発振器周波数とは異なる第２の発振器周波数で前記第２の発振器信号を生成するように構成された、請求項１に記載の装置。
【請求項７】
前記第１の発振器周波数は前記ＬＯ周波数の整数倍で、前記第２の発振器周波数は前記ＬＯ周波数の非整数倍である、請求項６に記載の装置。
【請求項８】
前記第１の発振器周波数は前記ＬＯ周波数の非整数倍で、前記第２の発振器周波数は前記ＬＯ周波数の整数倍である、請求項６に記載の装置。
【請求項９】
前記第１の周波数合成器は、前記受信機が有効にされる前に有効にされ、前記受信機が無効にされる時または後に無効にされ、前記第２の周波数合成器は、前記送信機が有効にされる前に有効にされ、前記送信機が無効にされる時または後に無効にされる、請求項１に記載の装置。
【請求項１０】
前記第１および第２の周波数合成器は、前記受信機が有効にされる前に有効にされ、前記第１の周波数合成器は、前記受信機が無効にされる時または後に無効にされ、前記第２の周波数合成器は、前記送信機が無効にされる時または後に無効にされる、請求項１に記載の装置。
【請求項１１】
前記第１および第２の周波数合成器は、前記送信機が有効にされる前に有効にされる、請求項１に記載の装置。
【請求項１２】
前記第１および第２の周波数合成器は、前記受信機が有効にされる前に、有効にされ、前記受信機が無効にされる時または後に無効にされる、請求項１に記載の装置。
【請求項１３】
前記第１および第２の周波数合成器は、前記送信機が有効にされる前に、有効にされ、前記第１および第２の周波数は、前記送信機が無効にされる時または後に無効にされる、請求項１に記載の装置。
【請求項１４】
前記第１の周波数合成器は、前記受信機が有効にされる場合、ターゲット発信器周波数で前記第１の発振器信号を、および前記送信機が有効にされる場合、前記ターゲット発信器周波数からずれたものを生成するように構成された、請求項１に記載の装置。
【請求項１５】
前記第１の周波数合成器は、位相同期ループ（ＰＬＬ）を備え、前記ターゲット発信器周波数からの前記ずれは前記ＰＬＬ内の周波数分周器比を変更することによって得られる、請求項１４に記載の装置。
【請求項１６】
前記第２の周波数合成器は、前記送信機が有効にされる場合、ターゲット発信器周波数で前記第２の発振器信号を、および前記受信機が有効にされる場合、前記ターゲット発信器周波数からのずれたものを生成するように構成された、請求項１に記載の装置。
【請求項１７】
局部発振器（ＬＯ）信号を生成するための方法であって、
第１の周波数合成器により第１の発振器周波数で第１の発振器信号を生成することと、
前記第１の発振器信号に基づき受信機のためにＬＯ周波数で第１のＬＯ信号を生成することと、
第２の周波数合成器により第２の発振器周波数で第２の発振器信号を生成し、ここにおいて、前記第２の発振器信号周波数は、時分割モードで動作している場合に前記第１の発振器周波数とは異なることと、
前記第２の発振器信号に基づき送信機のために前記ＬＯ周波数で第２のＬＯ信号を生成することと、
データ・スロットのミッドアンブル内で前記第１および第２の周波数合成器の少なくとも１つを有効にすることと、
変調のより低い速度を使用することと、
を備える方法。
【請求項１８】
前記時分割モードは、時分割複信（ＴＤＤ）モードおよび時間分割同期コード分割多元接続（ＴＤ‐ＳＣＤＭＡ）モードのいずれかである、請求項１７に記載の方法。
【請求項１９】
前記ＴＤＤモードは、ロング・ターム・エボリューション（ＬＴＥ）ＴＤＤモードである、請求項１８に記載の方法。
【請求項２０】
前記ＴＤＤモードの第１の時間間隔の間、前記受信機を有効にすることと、
前記ＴＤＤモードの第２の時間間隔の間、前記送信機を有効にすることと、
をさらに備える請求項１８に記載の方法。
【請求項２１】
前記第１の発振器周波数は前記ＬＯ周波数の整数倍で、前記第２の発振器周波数は前記ＬＯ周波数の非整数倍である、請求項１７に記載の方法。
【請求項２２】
前記第１の発振器周波数は前記ＬＯ周波数の非整数倍で、前記第２の発振器周波数は前記ＬＯ周波数の整数倍である、請求項１７に記載の方法。
【請求項２３】
前記受信機が有効にされる前に前記第１の周波数合成器を有効にすることと、
前記受信機が無効にされる時または後に前記第１の周波数合成器を無効にすることと、
前記送信機が有効にされる前に前記第２の周波数合成器を有効にすることと、
前記送信機が無効にされる時または後に前記第２の周波数合成器を無効にすることと、
をさらに備える請求項１７に記載の方法。
【請求項２４】
前記受信機が有効にされる前に前記第１および第２の周波数合成器を有効にすることと、
前記受信機が無効にされる時または後に前記第１の周波数合成器を無効にすることと、
前記送信機が無効にされる時または後に前記第２の周波数合成器を無効にすることと、
をさらに備える請求項１７に記載の方法。
【請求項２５】
前記送信機が有効にされる前に前記第１および第２の周波数合成器を有効にすることをさらに備える請求項１７に記載の方法。
【請求項２６】
前記受信機が有効にされる前に前記第１および第２の周波数合成器を有効にすることと、
前記受信機が無効にされる時または後に前記第１および第２の周波数合成器を無効にすることと、
をさらに備える請求項１７に記載の方法。
【請求項２７】
前記送信機が有効にされる前に前記第１および第２の周波数合成器を有効にすることと、
前記送信機が無効にされる時または後に前記第１および第２の周波数合成器を無効にすることと、
をさらに備える請求項１７に記載の方法。
【請求項２８】
前記第１の発振器信号の生成は、
前記受信機が有効にされる場合、ターゲット発信器周波数で前記第１の発振器信号を生成することと、
前記送信機が有効にされる場合、前記ターゲット発信器周波数からずれたところで前記第１の発振器信号を生成することと、
を備える請求項１７に記載の方法。
【請求項２９】
無線通信のための装置であって、
第１の発振器周波数で第１の発振器信号を生成するための手段と、
前記第１の発振器信号に基づき受信機のためにＬＯ周波数で第１の局部発振器（ＬＯ）信号を生成するための手段と、
時分割モードで動作している場合に前記第１の発振器周波数とは異なる第２の発振器周波数で第２の発振器信号を生成するための手段と、
前記第２の発振器信号に基づき送信機のために前記ＬＯ周波数で第２のＬＯ信号を生成するための手段と、
データ・スロットのミッドアンブル内で前記第１および第２の周波数合成器の少なくとも１つを有効にするための手段と、
変調のより低い速度を使用するための手段と、
を備える装置。
【請求項３０】
前記時分割モードは、時分割複信（ＴＤＤ）モードおよび時間分割同期コード分割多元接続（ＴＤ‐ＳＣＤＭＡ）モードのいずれかである、請求項２９に記載の装置。
【請求項３１】
前記ＴＤＤモードは、ロング・ターム・エボリューション（ＬＴＥ）ＴＤＤモードである、請求項３０に記載の装置。
【請求項３２】
前記ＴＤＤモードの第１の時間間隔の間、前記受信機を有効にするための手段と、
前記ＴＤＤモードの第２の時間間隔の間、前記送信機を有効にするための手段と、
をさらに備える請求項３０に記載の装置。
【請求項３３】
前記第１の発振器周波数は前記ＬＯ周波数の整数倍で、前記第２の発振器周波数は前記ＬＯ周波数の非整数倍である、請求項２９に記載の装置。
【請求項３４】
前記第１の発振器周波数は前記ＬＯ周波数の非整数倍で、前記第２の発振器周波数は前記ＬＯ周波数の整数倍である、請求項２９に記載の装置。
【請求項３５】
前記受信機が有効にされる前に前記第１の発振器信号を生成するための前記手段を有効にするための手段と、
前記受信機が無効にされる時または後に前記第１の発振器信号を生成するための前記手段を無効にするための手段と、
前記送信機が有効にされる前に前記第２の発振器信号を生成するための前記手段を有効にするための手段と、
前記送信機が無効にされる時または後に前記第２の発振器信号を生成するための前記手段を無効にするための手段と、
をさらに備える請求項２９に記載の装置。
【請求項３６】
前記受信機が有効にされる前に前記第１の発振器信号を生成するための前記手段および前記第２の発振器信号を生成するための前記手段を有効にするための手段と、
前記受信機が無効にされる時または後に前記第１の発振器信号を生成するための前記手段を無効にするための手段と、
前記送信機が無効にされる時または後に前記第２の発振器信号を生成するための前記手段を無効にするための手段と、
をさらに備える請求項２９に記載の装置。
【請求項３７】
前記送信機が有効にされる前に前記第１および第２の周波数合成器を有効にするための手段をさらに備える請求項２９に記載の装置。
【請求項３８】
前記受信機が有効にされる前に前記第１の発振器信号を生成するための前記手段および前記第２の発振器信号を生成するための前記手段を有効にするための手段と、
前記受信機が無効にされる時または後に前記第１の発振器信号を生成するための前記手段および前記第２の発振器信号を生成するための前記手段を無効にするための手段と、
をさらに備える請求項２９に記載の装置。
【請求項３９】
前記送信機が有効にされる前に前記第１および第２の周波数合成器を有効にするための手段と、
前記送信機が無効にされる時または後に前記第１および第２の周波数合成器を無効にするための手段と、
をさらに備える請求項２９に記載の装置。
【請求項４０】
前記第１の発振器信号を生成するための前記手段は、
前記受信機が有効にされる場合、ターゲット発信器周波数で前記第１の発振器信号を生成するための手段と、
前記送信機が有効にされる場合、前記ターゲット発信器周波数からずれたところで前記第１の発振器信号を生成するための手段と、
を備える請求項２９に記載の装置。
【請求項４１】
コンピュータ・プログラム製品であって、
非一時的コンピュータ読取可能な媒体で、
少なくとも１つのプロセッサーに第１の周波数合成器により第１の発振器周波数で第１の発振器信号の生成を誘導させるためのコードで、前記第１の発振器信号は受信機のためのＬＯ周波数で第１の局部発振器（ＬＯ）信号を生成するために使用されるコードと、
前記少なくとも１つのプロセッサーに第２の周波数合成器により第２の発振器周波数で第２の発振器信号の生成を誘導させるためのコードで、前記第２の発振器信号は送信機のための前記ＬＯ周波数で第２のＬＯ信号を生成するために使用され、ここにおいて、前記第２の発振器信号周波数は、時分割モードで動作している場合、前記第１の発振器周波数とは異なるコードと、
少なくとも１つのプロセッサーにデータ・スロットのミッドアンブル内で前記第１および第２の周波数合成器の少なくとも１つを有効にさせるためのコードと、
少なくとも１つのプロセッサーに変調のより低い速度を使用させるためのコードと、
を備える非一時的コンピュータ読取可能な媒体を備えるコンピュータ・プログラム製品。
【請求項４２】
前記時分割モードは、時分割複信（ＴＤＤ）モードおよび時間分割同期コード分割多元接続（ＴＤ‐ＳＣＤＭＡ）モードのいずれかである、請求項４１に記載のコンピュータ・プログラム製品。
【請求項４３】
前記ＴＤＤモードの第１の時間間隔の間、少なくとも１つのプロセッサーに前記受信機を有効にさせるためのコードと、
前記ＴＤＤモードの第２の時間間隔の間、少なくとも１つのプロセッサーに前記送信機を有効にさせるためのコードと、
をさらに備える請求項４２に記載のコンピュータ・プログラム製品。
【請求項４４】
前記ＴＤＤモードは、ロング・ターム・エボリューション（ＬＴＥ）ＴＤＤモードである、請求項４２に記載のコンピュータ・プログラム製品。
【請求項４５】
前記受信機が有効にされる前に、少なくとも１つのプロセッサーに前記第１の周波数合成器を有効にさせるためのコードと、
前記受信機が無効にされる時または後に、少なくとも１つのプロセッサーに前記第１の周波数合成器を無効にさせるためのコードと、
前記送信機が有効にされる前に、少なくとも１つのプロセッサーに前記第２の周波数合成器を有効にさせるためのコードと、
前記送信機が無効にされる時または後に、少なくとも１つのプロセッサーに前記第２の周波数合成器を無効にさせるためのコードと、
をさらに備える請求項４１に記載のコンピュータ・プログラム製品。
【請求項４６】
前記送信機が有効にされる前に、少なくとも１つのプロセッサーに前記第１および第２の周波数合成器を有効にさせるためのコードをさらに備える請求項４１に記載のコンピュータ・プログラム製品。
【請求項４７】
前記送信機が有効にされる前に、少なくとも１つのプロセッサーに前記第１および第２の周波数合成器を有効にさせるためのコードと、
前記送信機が無効にされる時または後に、少なくとも１つのプロセッサーに前記第１および第２の周波数合成器を無効にさせるためのコードと、
をさらに備える請求項４１に記載のコンピュータ・プログラム製品。
【手続補正２】
【補正対象書類名】明細書
【補正対象項目名】００８１
【補正方法】変更
【補正の内容】
【００８１】
[0086]本開示の以前の記述は、当業者が本開示の作成または使用をできるように提供される。本開示への種々の変更形態は当業者には直ぐに明らかにない、そして、本明細書で定義された一般原理は本開示の趣旨または範囲を逸脱することなく、他の変形形態に適用されうる。したがって、本開示は本明細書に記述された例および設計に限定されることを意図するものではなく、本明細書で開示された原理および新規な特徴と調和した最も広い範囲に従うことを意図するものである。
以下に、出願当初の特許請求の範囲に記載された発明を付記する。
［Ｃ１］
無線通信のための装置であって、
受信機のためのＬＯ周波数で第１の局部発振器（ＬＯ）信号を生成するために使用される第１の発振器信号を生成するように構成された第１の周波数合成器と、
送信機のためのＬＯ周波数で第第２のＬＯ信号を生成するために使用される第２の発振器信号を生成するように構成された第２の周波数合成器と、
を備え、
ここにおいて、前記第１および第２の周波数合成器は、前記装置が時分割モードで動作している場合、前記同じＬＯ周波数で前記第１および第２のＬＯ信号を得るために前記第１および第２の発振器信号を生成するように構成された装置。
［Ｃ２］
前記時分割モードにおいて、前記受信機は第１の時間間隔の間、有効にされ、前記送信機は第２の時間間隔の間、有効にされる、Ｃ１に記載の装置。
［Ｃ３］
前記時分割モードは、時分割複信（ＴＤＤ）モードおよび時間分割同期コード分割多元接続（ＴＤ‐ＳＣＤＭＡ）モードのいずれかである、Ｃ１に記載の装置。
［Ｃ４］
前記ＴＤＤモードは、ロング・ターム・エボリューション（ＬＴＥ）ＴＤＤモードである、Ｃ３に記載の装置。
［Ｃ５］
前記第１および第２の周波数合成器は、同じ発振器周波数で前記第１および第２の発振器信号を生成するように構成された、Ｃ１に記載の装置。
［Ｃ６］
前記第１の周波数合成器は、第１の発振器周波数で前記第１の発振器信号を生成するように構成され、前記第２の周波数合成器は、前記第１の発振器周波数とは異なる第２の発振器周波数で前記第２の発振器信号を生成するように構成された、Ｃ１に記載の装置。
［Ｃ７］
前記第１の発振器周波数は前記ＬＯ周波数の整数倍で、前記第２の発振器周波数は前記ＬＯ周波数の非整数倍である、Ｃ６に記載の装置。
［Ｃ８］
前記第１の発振器周波数は前記ＬＯ周波数の非整数倍で、前記第２の発振器周波数は前記ＬＯ周波数の整数倍である、Ｃ６に記載の装置。
［Ｃ９］
前記第１の周波数合成器は、前記受信機が有効にされる前に有効にされ、前記受信機が無効にされる時または後に無効にされ、前記第２の周波数合成器は、前記送信機が有効にされる前に有効にされ、前記送信機が無効にされる時または後に無効にされる、Ｃ１に記載の装置。
［Ｃ１０］
前記第１および第２の周波数合成器は、前記受信機が有効にされる前に有効にされ、前記第１の周波数合成器は、前記受信機が無効にされる時または後に無効にされ、前記第２の周波数合成器は、前記送信機が無効にされる時または後に無効にされる、Ｃ１に記載の装置。
［Ｃ１１］
前記第１および第２の周波数合成器は、前記送信機が有効にされる前に有効にされる、Ｃ１に記載の装置。
［Ｃ１２］
前記第１および第２の周波数合成器の少なくとも１つは、データ・スロットのミッドアンブル内で有効にされ、変調のより低い速度が使用される、Ｃ１に記載の装置。
［Ｃ１３］
前記第１および第２の周波数合成器は、前記受信機が有効にされる前に、有効にされ、前記受信機が無効にされる時または後に無効にされる、Ｃ１に記載の装置。
［Ｃ１４］
前記第１および第２の周波数合成器は、前記送信機が有効にされる前に、有効にされ、前記第１および第２の周波数は、前記送信機が無効にされる時または後に無効にされる、Ｃ１に記載の装置。
［Ｃ１５］
前記第１の周波数合成器は、前記受信機が有効にされる場合、ターゲット発信器周波数で前記第１の発振器信号を、および前記送信機が有効にされる場合、前記ターゲット発信器周波数からずれたものを生成するように構成された、Ｃ１に記載の装置。
［Ｃ１６］
前記第１の周波数合成器は、位相同期ループ（ＰＬＬ）を備え、前記ターゲット発信器周波数からの前記ずれは前記ＰＬＬ内の周波数分周器比を変更することによって得られる、Ｃ１５に記載の装置。
［Ｃ１７］
前記第２の周波数合成器は、前記送信機が有効にされる場合、ターゲット発信器周波数で前記第２の発振器信号を、および前記受信機が有効にされる場合、前記ターゲット発信器周波数からのずれたものを生成するように構成された、Ｃ１に記載の装置。
［Ｃ１８］
局部発振器（ＬＯ）信号を生成するための方法であって、
第１の周波数合成器により第１の発振器周波数で第１の発振器信号を生成することと、
前記第１の発振器信号に基づき受信機のためにＬＯ周波数で第１のＬＯ信号を生成することと、
第２の周波数合成器により第２の発振器周波数で第２の発振器信号を生成し、ここにおいて、前記第２の発振器信号周波数は、時分割モードで動作している場合に前記第１の発振器周波数とは異なることと、
前記第２の発振器信号に基づき送信機のために前記ＬＯ周波数で第２のＬＯ信号を生成することと、
を備える方法。
［Ｃ１９］
前記時分割モードは、時分割複信（ＴＤＤ）モードおよび時間分割同期コード分割多元接続（ＴＤ‐ＳＣＤＭＡ）モードのいずれかである、Ｃ１８に記載の方法。
［Ｃ２０］
前記ＴＤＤモードは、ロング・ターム・エボリューション（ＬＴＥ）ＴＤＤモードである、Ｃ１９に記載の方法。
［Ｃ２１］
ＴＤＤモードの第１の時間間隔の間、前記受信機を有効にすることと、
ＴＤＤモードの第２の時間間隔の間、前記送信機を有効にすることと、
をさらに備えるＣ１９に記載の方法。
［Ｃ２２］
前記第１の発振器周波数は前記ＬＯ周波数の整数倍で、前記第２の発振器周波数は前記ＬＯ周波数の非整数倍である、Ｃ１８に記載の方法。
［Ｃ２３］
前記第１の発振器周波数は前記ＬＯ周波数の非整数倍で、前記第２の発振器周波数は前記ＬＯ周波数の整数倍である、Ｃ１８に記載の方法。
［Ｃ２４］
前記受信機が有効にされる前に前記第１の周波数合成器を有効にすることと、
前記受信機が無効にされる時または後に前記第１の周波数合成器を無効にすることと、
前記送信機が有効にされる前に前記第２の周波数合成器を有効にすることと、
前記送信機が無効にされる時または後に前記第２の周波数合成器を無効にすることと、
をさらに備えるＣ１８に記載の方法。
［Ｃ２５］
前記受信機が有効にされる前に前記第１および第２の周波数合成器を有効にすることと、
前記受信機が無効にされる時または後に前記第１の周波数合成器を無効にすることと、
前記送信機が無効にされる時または後に前記第２の周波数合成器を無効にすることと、
をさらに備えるＣ１８に記載の方法。
［Ｃ２６］
前記送信機が有効にされる前に前記第１および第２の周波数合成器を有効にすることをさらに備えるＣ１８に記載の方法。
［Ｃ２７］
データ・スロットのミッドアンブル内で前記第１および第２の周波数合成器の少なくとも１つを有効にすることと、
変調のより低い速度を使用することと、
をさらに備えるＣ１８に記載の方法。
［Ｃ２８］
前記受信機が有効にされる前に前記第１および第２の周波数合成器を有効にすることと、
前記受信機が無効にされる時または後に前記第１および第２の周波数合成器を無効にすることと、
をさらに備えるＣ１８に記載の方法。
［Ｃ２９］
前記送信機が有効にされる前に前記第１および第２の周波数合成器を有効にすることと、
前記送信機が無効にされる時または後に前記第１および第２の周波数合成器を無効にすることと、
をさらに備えるＣ１８に記載の方法。
［Ｃ３０］
前記第１の発振器信号の生成は、
前記受信機が有効にされる場合、ターゲット発信器周波数で前記第１の発振器信号を生成することと、
前記送信機が有効にされる場合、前記ターゲット発信器周波数からずれたところで前記第１の発振器信号を生成することと、
を備えるＣ１８に記載の方法。
［Ｃ３１］
無線通信のための装置であって、
第１の発振器周波数で第１の発振器信号を生成するための手段と、
前記第１の発振器信号に基づき受信機のためにＬＯ周波数で第１の局部発振器（ＬＯ）信号を生成するための手段と、
時分割モードで動作している場合に前記第１の発振器周波数とは異なる第２の発振器周波数で第２の発振器信号を生成するための手段と、
前記第２の発振器信号に基づき送信機のために前記ＬＯ周波数で第２のＬＯ信号を生成するための手段と、
を備える装置。
［Ｃ３２］
前記時分割モードは、時分割複信（ＴＤＤ）モードおよび時間分割同期コード分割多元接続（ＴＤ‐ＳＣＤＭＡ）モードのいずれかである、Ｃ３１に記載の装置。
［Ｃ３３］
前記ＴＤＤモードは、ロング・ターム・エボリューション（ＬＴＥ）ＴＤＤモードである、Ｃ３２に記載の装置。
［Ｃ３４］
ＴＤＤモードの第１の時間間隔の間、前記受信機を有効にするための手段と、
ＴＤＤモードの第２の時間間隔の間、前記送信機を有効にするための手段と、
をさらに備えるＣ３２に記載の装置。
［Ｃ３５］
前記第１の発振器周波数は前記ＬＯ周波数の整数倍で、前記第２の発振器周波数は前記ＬＯ周波数の非整数倍である、Ｃ３１に記載の装置。
［Ｃ３６］
前記第１の発振器周波数は前記ＬＯ周波数の非整数倍で、前記第２の発振器周波数は前記ＬＯ周波数の整数倍である、Ｃ３１に記載の装置。
［Ｃ３７］
前記受信機が有効にされる前に前記第１の発振器信号を生成するための前記手段を有効にするための手段と、
前記受信機が無効にされる時または後に前記第１の発振器信号を生成するための前記手段を無効にするための手段と、
前記送信機が有効にされる前に前記第２の発振器信号を生成するための前記手段を有効にするための手段と、
前記送信機が無効にされる時または後に前記第２の発振器信号を生成するための前記手段を無効にするための手段と、
をさらに備えるＣ３１に記載の装置。
［Ｃ３８］
前記受信機が有効にされる前に前記第１の発振器信号を生成するための前記手段および前記第２の発振器信号を生成するための前記手段を有効にするための手段と、
前記受信機が無効にされる時または後に前記第１の発振器信号を生成するための前記手段を無効にするための手段と、
前記送信機が無効にされる時または後に前記第２の発振器信号を生成するための前記手段を無効にするための手段と、
をさらに備えるＣ３１に記載の装置。
［Ｃ３９］
前記送信機が有効にされる前に前記第１および第２の周波数合成器を有効にするための手段をさらに備えるＣ３１に記載の装置。
［Ｃ４０］
データ・スロットのミッドアンブル内で前記第１および第２の周波数合成器の少なくとも１つを有効にするための手段と、
変調のより低い速度を使用するための手段と、
をさらに備えるＣ３１に記載の装置。
［Ｃ４１］
前記受信機が有効にされる前に前記第１の発振器信号を生成するための前記手段および前記第２の発振器信号を生成するための前記手段を有効にするための手段と、
前記受信機が無効にされる時または後に前記第１の発振器信号を生成するための前記手段および前記第２の発振器信号を生成するための前記手段を無効にするための手段と、
をさらに備えるＣ３１に記載の装置。
［Ｃ４２］
前記送信機が有効にされる前に前記第１および第２の周波数合成器を有効にするための手段と、
前記送信機が無効にされる時または後に前記第１および第２の周波数を無効にするための手段と、
をさらに備えるＣ３１に記載の装置。
［Ｃ４３］
前記第１の発振器信号を生成するための前記手段は、
前記受信機が有効にされる場合、ターゲット発信器周波数で前記第１の発振器信号を生成するための手段と、
前記送信機が有効にされる場合、前記ターゲット発信器周波数からずれたところで前記第１の発振器信号を生成するための手段と、
を備えるＣ３１に記載の装置。
［Ｃ４４］
コンピュータ・プログラム製品であって、
非一時的コンピュータ読取可能な媒体で、
少なくとも１つのプロセッサーが第１の周波数合成器により第１の発振器周波数で第１の発振器信号の生成を誘導するためのコードで、前記第１の発振器信号は受信機のためのＬＯ周波数で第１の局部発振器（ＬＯ）信号を生成するために使用されるコードと、
少なくとも１つのプロセッサーが第２の周波数合成器により第２の発振器周波数で第２の発振器信号の生成を誘導するためのコードで、前記第２の発振器信号は送信機のためのＬＯ周波数で第２のＬＯ信号を生成するために使用され、ここにおいて、前記第２の発振器信号周波数は、時分割モードで動作している場合、前記第１の発振器周波数とは異なるコードと、
を備える非一時的コンピュータ読取可能な媒体を備えるコンピュータ・プログラム製品。
［Ｃ４５］
前記時分割モードは、時分割複信（ＴＤＤ）モードおよび時間分割同期コード分割多元接続（ＴＤ‐ＳＣＤＭＡ）モードのいずれかである、Ｃ４４に記載のコンピュータ・プログラム製品。
［Ｃ４６］
ＴＤＤモードの第１の時間間隔の間、少なくとも１つのプロセッサーに前記受信機を有効にさせるためのコードと、
ＴＤＤモードの第２の時間間隔の間、少なくとも１つのプロセッサーに前記送信機を有効にさせるためのコードと、
をさらに備えるＣ４５に記載のコンピュータ・プログラム製品。
［Ｃ４７］
前記ＴＤＤモードは、ロング・ターム・エボリューション（ＬＴＥ）ＴＤＤモードである、Ｃ４５に記載のコンピュータ・プログラム製品。
［Ｃ４８］
前記受信機が有効にされる前に、少なくとも１つのプロセッサーに前記第１の周波数合成器を有効にさせるためのコードと、
前記受信機が無効にされる時または後に、少なくとも１つのプロセッサーに前記第１の周波数合成器を無効にさせるためのコードと、
前記送信機が有効にされる前に、少なくとも１つのプロセッサーに前記第２の周波数合成器を有効にさせるためのコードと、
前記送信機が無効にされる時または後に、少なくとも１つのプロセッサーに前記第２の周波数合成器を無効にさせるためのコードと、
をさらに備えるＣ４４に記載のコンピュータ・プログラム製品。
［Ｃ４９］
前記送信機が有効にされる前に、少なくとも１つのプロセッサーに前記第１および第２の周波数合成器を有効にさせるためのコードをさらに備えるＣ４４に記載の装置。
［Ｃ５０］
少なくとも１つのプロセッサーにデータ・スロットのミッドアンブル内で前記第１および第２の周波数合成器の少なくとも１つを有効にさせるためのコードと、
少なくとも１つのプロセッサーに変調のより低い速度を使用させるためのコードと、
をさらに備えるＣ４４に記載の装置。
［Ｃ５１］
前記送信機が有効にされる前に、少なくとも１つのプロセッサーに前記第１および第２の周波数合成器を有効にさせるためのコードと、
前記送信機が無効にされる時または後に、少なくとも１つのプロセッサーに前記第１および第２の周波数を無効にさせるためのコードと、
をさらに備えるＣ４４に記載の装置。